(57)【要約】【課題】水などの液体を外部に排出することができる靴乾燥装置を提供する。【解決手段】靴乾燥装置１は、吸気口１１Ａと、吸気口１１Ａから吸気した空気１００を加熱するヒータ１８Ａとを有する本体１０と、ヒータ１８Ａにより加熱された空気１００を吐き出す複数の伸縮ノズル２０と、を備え、複数の伸縮ノズル２０それぞれは、本体１０に一方側が連結される蛇腹ホース２１と、蛇腹ホース２１の他方側に取り付けられ、吐出口２２Ａを有するノズルヘッダ２２とを含み、本体１０は、蛇腹ホース２１を伝わって本体１０に進入した液体Ｗ１，Ｗ２を受けるガイド部と、ガイド部における液体Ｗ１，Ｗ２が排出される排出孔５１，５２と、を有する。【選択図】図１８
2020058910.tif 000002
【特許請求の範囲】
【請求項１】
吸気口と、前記吸気口から吸気した空気を加熱する加熱手段とを有する本体と、
前記加熱手段により加熱された空気を吐き出す複数のノズルと、を備え、
前記複数のノズルそれぞれは、前記本体に一方側が連結されるホースと、該ホースの他方側に取り付けられ、吐出口を有するノズルヘッダとを含み、
前記本体は、
前記ホースを伝わって前記本体に進入した液体を受けるガイド部と、
前記ガイド部における液体が排出される排出孔と、を有する
靴乾燥装置。
【請求項２】
前記ガイド部は、２つの前記ホースそれぞれの一方側の端部より下方に設けられ、
２つの前記ガイド部の間に、前記加熱手段が配される
請求項１に記載の靴乾燥装置。
【請求項３】
前記ホースの他方側の端部と前記吐出口とが対向した状態で、前記ホースが前記ノズルヘッダ内をスライド可能である
請求項１または２に記載の靴乾燥装置。
【請求項４】
前記ノズルヘッダは、前記本体に対して着脱可能であり、
前記ノズルヘッダが前記本体から離脱されている場合よりも前記本体に装着されている場合の方が、前記ホースの他方側の端部が前記吐出口側に近い位置に配される
請求項３に記載の靴乾燥装置。
【請求項５】
被載置面に対して前記本体を傾いた姿勢で支持する支持部材をさらに備え、
前記排出孔は、前記支持部材に支持された姿勢における前記本体のうち、前記被載置面に面する側に設けられる
請求項１〜４のいずれかに記載の靴乾燥装置。
【発明の詳細な説明】
【技術分野】
【０００１】
本実施の形態は、靴やスリッパ等の履き物を乾燥させるために用いる靴乾燥装置に関する。
【背景技術】
【０００２】
従来、靴やスリッパ等の履き物を乾燥させるために用いる靴乾燥装置が知られている（例えば、特許文献１）。この特許文献１には、上部に一対の靴掛け部が形成された本体と、本体の内部に設けられたファンモータと、ファンモータの下流側に設けられたヒータとを備え、靴掛け部先端の吹出口より温風を吹き出すことのできる靴乾燥機が記載されている。この靴乾燥機は、靴掛け部に靴を掛けた状態で使用することにより、短時間で靴を乾燥させることが可能となっている。
【先行技術文献】
【特許文献】
【０００３】
【特許文献１】実用新案登録第２５６１１７４号公報
【発明の概要】
【発明が解決しようとする課題】
【０００４】
従来の靴乾燥機では、濡れた靴から水などの液体が本体に進入する可能性がある。
【０００５】
本実施の形態は、上述した従来の技術に鑑み、水などの液体を外部に排出することができる靴乾燥装置を提供することを目的とする。
【課題を解決するための手段】
【０００６】
本実施の形態の一態様によれば、吸気口と、前記吸気口から吸気した空気を加熱する加熱手段とを有する本体と、前記加熱手段により加熱された空気を吐き出す複数のノズルと、を備え、前記複数のノズルそれぞれは、前記本体に一方側が連結されるホースと、該ホースの他方側に取り付けられ、吐出口を有するノズルヘッダとを含み、前記本体は、前記ホースを伝わって前記本体に進入した液体を受けるガイド部と、前記ガイド部における液体が排出される排出孔と、を有する靴乾燥装置が提供される。
【発明の効果】
【０００７】
本実施の形態によれば、水などの液体を外部に排出することができる靴乾燥装置を提供することが可能である。
【図面の簡単な説明】
【０００８】
【図１】本実施の形態に係る靴乾燥装置の正面図であり、（ａ）伸縮ノズルを縮めた状態、（ｂ）伸縮ノズルを伸ばした状態。
【図２】本実施の形態に係る靴乾燥装置の第１の使用形態を示す斜視図である。
【図３】本実施の形態に係る靴乾燥装置の第２の使用形態を示す斜視図である。
【図４】本実施の形態に係る靴乾燥装置の第３の使用形態を示す斜視図である。
【図５】本実施の形態に係る靴乾燥装置の第４の使用形態を示す斜視図である。
【図６】本実施の形態に係る靴乾燥装置が備える操作パネルの正面図である。
【図７】本実施の形態に係る靴乾燥装置が備えるオゾン脱臭機能の概念図である。
【図８】本実施の形態に係る靴乾燥装置における空気の流れの説明図であり、（ａ）正面図、（ｂ）Ａ−Ａ断面図。
【図９】本実施の形態に係る靴乾燥装置における空気の流れの説明図であり、（ａ）右側面図、（ｂ）Ｂ−Ｂ断面図。
【図１０】本実施の形態に係る靴乾燥装置の分解斜視図である。
【図１１】本実施の形態に係る靴乾燥装置が備える伸縮ノズルの断面図であり、（ａ）伸縮ノズルが縮んだ状態、（ｂ）ノズルヘッダが蛇腹ホースに対してスライドし、伸縮ノズルが伸びた状態、（ｃ）伸縮ノズルが更に伸びた状態。
【図１２】図１１（ａ）中の表示Ａの部分を拡大した拡大図である。
【図１３】図１１（ｂ）中の表示Ｂの部分を拡大した拡大図である。
【図１４】本実施の形態に係る靴乾燥装置が備える固定手段の斜視図である。
【図１５】本実施の形態に係る靴乾燥装置が備える伸縮ノズルの説明図であり、（ａ）上面図、（ｂ）正面図、（ｃ）右側面図。
【図１６】本実施の形態に係る靴乾燥装置に濡れた靴を引っ掛けて使用している様子を示す右側面図である。
【図１７】本実施の形態に係る靴乾燥装置の背面図である。
【図１８】本実施の形態に係る靴乾燥装置の内部構造を示す斜視図である。
【図１９】本実施の形態に係る靴乾燥装置の右側面図であり、（ａ）スタンドを使用した場合、（ｂ）スタンドを使用しない場合。
【図２０】本実施の形態に係る靴乾燥装置の内部構造を示す斜視図である。
【発明を実施するための形態】
【０００９】
次に、図面を参照して、本実施の形態を説明する。以下の図面の記載において、同一又は類似の部分には同一又は類似の符号を付している。
【００１０】
［全体構成］
図１は、本実施の形態に係る靴乾燥装置１の正面図であり、図１（ａ）は伸縮ノズル２０を縮めた状態を示し、図１（ｂ）は伸縮ノズル２０を伸ばした状態を示している。この靴乾燥装置１は、靴２（図２参照）やスリッパ等の履き物を乾燥させるために用いる装置であって、図１に示すように、本体１０と、一対の伸縮ノズル２０と、固定手段３０とを備える。本体１０の正面側に設けられた操作パネルＰを用いて各種の操作を行うことができるようになっている。
【００１１】
詳細については後述するが、本体１０は、吸気口から吸気した空気を加熱手段により加熱する。伸縮ノズル２０は、本体１０に対して伸縮自在であり、加熱手段により加熱された空気を吐き出す。例えば、伸縮ノズル２０は、本体１０に一端が連結された蛇腹ホース（伸縮ダクト）２１と、蛇腹ホース２１の他端に取り付けられたノズルヘッダ２２とを備えてもよい（以下の説明では、蛇腹ホース２１とノズルヘッダ２２とを一括して「伸縮ノズル２０」と記載する場合がある）。固定手段３０は、伸縮ノズル２０が縮んだ状態において伸縮ノズル２０を本体１０に固定する。これにより、伸縮ノズル２０が縮んだ状態では伸縮ノズル２０が本体１０に固定されるため、様々な形態で使用することができる使い勝手のよい靴乾燥装置１を提供することが可能となる。
【００１２】
［使用形態］
図２は、本実施の形態に係る靴乾燥装置１の第１の使用形態を示す斜視図である。第１の使用形態は、本体１０を寝かせた状態で靴２を玄関先などに置いたまま使用する使用形態である。通常、玄関先には段差があるため、図２に示すように、本体１０の背面に設けられた可倒式のスタンド４０（図３参照）を閉じて本体１０を寝かせた状態にし、伸縮ノズル２０を伸ばしてノズルヘッダ２２を靴２の中に入れて使用してもよい。このような第１の使用形態によれば、靴２を玄関先に置いたまま使用することができるため、汚れた靴２を室内や廊下に持ち込まなくて済む。
【００１３】
図２では、本体１０を寝かせた状態にしているが、本体１０を起立状態にして使用してもよい。例えば、ブーツを玄関先に置いたまま使用する場合は、本体１０を起立状態にした方がノズルヘッダ２２をブーツの中に差し込みやすくなる。
【００１４】
図３は、本実施の形態に係る靴乾燥装置１の第２の使用形態を示す斜視図である。第２の使用形態は、起立状態で靴２を置いて使用する使用形態である。具体的には、図３に示すように、床に靴２を置き、その付近で本体１０を起立状態にし、伸縮ノズル２０を伸ばしてノズルヘッダ２２を靴２の中に入れて使用してもよい。このような第２の使用形態によれば、床に靴２を置いたまま使用することができるため、ノズルヘッダ２２の向きを調整しやすい。
【００１５】
図４は、本実施の形態に係る靴乾燥装置１の第３の使用形態を示す斜視図である。第３の使用形態は、２足同時に乾燥させる使用形態である。ノズルヘッダ２２は、先端が二股に分かれたダブルノズルであるため、図４に示すように、一方のノズルヘッダ（ダブルノズル）２２を靴２Ａの中に入れ、他方のノズルヘッダ（ダブルノズル）２２を別の靴２Ｂの中に入れて使用してもよい。このような第３の使用形態によれば、２足同時に乾燥させることができるため、より多くの靴２を短時間で乾燥させることが可能である。
【００１６】
図５は、本実施の形態に係る靴乾燥装置１の第４の使用形態を示す斜視図である。第４の使用形態は、起立状態で靴２を引っ掛けて使用する使用形態である。具体的には、図５に示すように、スタンド４０を使用し、本体１０を起立状態にする。伸縮ノズル２０は、縮めた状態にして本体１０に固定しておく。これにより、伸縮ノズル２０が上方に向くため、その先端部分のノズルヘッダ２２に靴２を引っ掛けて使用してもよい。本体１０と伸縮ノズル２０とは固定手段３０により十分な強度で固定されているため、容易に靴２を引っ掛けることができる。このような第４の使用形態によれば、靴２を引っ掛けて使用することができるため、簡便に靴２を乾燥させることが可能である。
【００１７】
［基本機能］
図６は、本実施の形態に係る靴乾燥装置１が備える操作パネルＰの正面図である。この操作パネルＰは、靴乾燥装置１を操作するための操作手段であり、図６に示すように、モードボタンＢ１、タイマーボタンＢ２、電源ボタンＢ３、オゾン脱臭ボタンＢ４などを備える。
【００１８】
モードボタンＢ１は、運転モードを選択するためのボタンである。モードボタンＢ１を押すたび、「標準」「革靴」「低騒音」の各運転モードが切り替わる。「標準」モードは、スニーカー等を乾燥させるときの運転モードである。「革靴」モードは、革靴等を乾燥させるときの運転モードである。「革靴」モードが選択された場合、「標準」モードに比べて風量は同じであるが、温度は低くなる。「低騒音」モードは、夜間など低騒音で運転させるときの運転モードである。「低騒音」モードが選択された場合、「革靴」モードに比べて温度は同じであるが、風量は小さくなる。タイマーボタンＢ２は、タイマー運転を設定するためのボタンである。電源ボタンＢ３は、電源の切／入を選択するためのボタンである。オゾン脱臭ボタンＢ４は、オゾン脱臭機能の切／入を選択するためのボタンである。使用者が操作パネルＰを操作すると、操作内容が制御基板（後述する。）に通知され、操作内容に応じた処理が実行される。
【００１９】
図７は、本実施の形態に係る靴乾燥装置１が備えるオゾン脱臭機能の概念図である。オゾン脱臭ボタンＢ４によりオゾン脱臭機能がオンされると、図７に示すように、オゾンＯ3を含んだ空気が靴２の中に供給される。オゾンＯ3は、靴２の中を通る間に雑菌等に接し、それらを強力に酸化する。これにより、靴２の除菌や脱臭を行うことが可能である。
【００２０】
［基本構造］
図８及び図９は、本実施の形態に係る靴乾燥装置１における空気１００の流れの説明図である。具体的には、図８（ａ）は、靴乾燥装置１の正面図であり、図８（ｂ）は、図８（ａ）のＡ−Ａ線に沿うＡ−Ａ断面図である。また、図９（ａ）は、靴乾燥装置１の右側面図であり、図９（ｂ）は、図９（ａ）のＢ−Ｂ線に沿うＢ−Ｂ断面図である。これらの図に示すように、送風手段であるシロッコファン１４Ａで吸気口１１Ａから吸気した空気１００を上方に送り、加熱手段であるヒータ１８Ａ（図２０参照）で加熱し、一対の蛇腹ホース２１を通じてそれぞれのノズルヘッダ２２の吐出口２２Ａから吐き出す。ヒータ１８Ａは、例えば、ＰＣＴ（Positive Temperature Coefficient）ヒータであり、鋼板等で形成されたヒータケース１８に収容されている。吐出口２２Ａは、ノズルヘッダ２２の先端に設けられているため、ノズルヘッダ２２の通風方向に適正な勢いで温風を吐き出すことが可能である。オゾン脱臭ボタンＢ４によりオゾン脱臭機能がオンされている場合は、オゾナイザ１７ＢからオゾンＯ3（図７参照）が発生し、吸気口１１Ａから吸気した空気１００にオゾンＯ3が混入するようになっている。
【００２１】
図１０は、本実施の形態に係る靴乾燥装置１の分解斜視図である。この図に示すように、本体１０は、箱型状に形成された半割り構造の本体ケース１１を備える。正面側の本体ケース１１の略中央部に操作パネルＰが設けられ、操作パネルＰの裏側に制御基板１２が設けられる。制御基板１２は、操作パネルＰからの指示信号等に基づいて各部を制御する制御手段である。制御基板１２の後方にファンケース１３が設けられ、ファンケース１３内にシロッコファン１４Ａが設けられ、シロッコファン１４Ａの上方にヒータケース１８が設けられる。シロッコファン１４Ａの吸気口は、本体ケース１１の左右側面に設けられた吸気口１１Ａに対向して配置される。更に、シロッコファン１４Ａを駆動するモータ１４Ｂが取り付けられ、モータ１４Ｂにモータブラケット１４Ｃが取り付けられ、本体ケース１１に固定される。モータブラケット１４Ｃの側方には吸気口１１Ａが配置される。ここでは、右側の吸気口１１Ａに対応する位置にしかフィルタ１５を描いていないが、左側の吸気口１１Ａに対応する位置にも同様にフィルタ１５が設けられる。吸気口１１Ａの内側にオゾンを発生させるオゾナイザ１７Ｂが設けられ、更に、オゾナイザ１７Ｂに電力を供給するオゾナイザ電源１７Ａが設けられる。本体ケース１１の背面にスタンド４０が設けられ、本体ケース１１の側面にＡＣコードプッシュ１６が設けられる。本体ケース１１の上端に空気１００の流出口である一対の開口部３１が設けられ、開口部３１のそれぞれにリング状の固定部材２３を介して蛇腹ホース２１の一端が連結される。蛇腹ホース２１の他端にリング状のスライド部材２４が取り付けられ、蛇腹ホース２１の他端に対してノズルヘッダ２２がスライド可能に取り付けられる。
【００２２】
［ノズル伸縮構造］
図１１は、本実施の形態に係る靴乾燥装置１が備える伸縮ノズル２０の断面図であり、図１１（ａ）は、伸縮ノズル２０が縮んだ状態を示し、図１１（ｂ）は、ノズルヘッダ２２が蛇腹ホース２１に対してスライドし、伸縮ノズル２０が伸びた状態を示し、図１１（ｃ）は、伸縮ノズル２０が更に伸びた状態を示している。図１２は、図１１（ａ）中の表示Ａの部分を拡大した拡大図であり、図１３は、図１１（ｂ）中の表示Ｂの部分を拡大した拡大図である。
【００２３】
まず、図１１（ａ）に示すように、伸縮ノズル２０が縮んだ状態では、固定手段３０により伸縮ノズル２０が本体１０に固定されている。この状態では、本体１０とノズルヘッダ２２内に蛇腹ホース２１が収納されるようになっている（収納状態）。具体的には、図１２に示すように、開口部３１が本体１０の上端（図１２では右端）に設けられ、開口部３１に嵌る延出部３２がノズルヘッダ２２の下端（図１２では左端）に設けられている。延出部３２の先端付近には溝部３３が設けられ、開口部３１には溝部３３に係合する突起部３４が設けられている。これにより、延出部３２を開口部３１に押し込むと、延出部３２の先端が突起部３４を乗り越え、突起部３４が溝部３３に係合するようになっている。
【００２４】
使用者は、ノズルヘッダ２２を握り、本体１０とノズルヘッダ２２とを容易に着脱することができる。ノズルヘッダ２２の下端には、ノズルヘッダ２２の長手方向に窓部Ｗが形成されているため（図１０参照）、蛇腹ホース２１の一部が見えるようになっている。
【００２５】
次いで、ノズルヘッダ２２を握って蛇腹ホース２１を本体ケース１１から引き出すと、図１１（ｂ）に示すように、蛇腹ホース２１に対してノズルヘッダ２２がスライド可能となっている。具体的には、図１３に示すように、ノズルヘッダ２２の内側にスライドストッパ２２Ｓが設けられている。これにより、蛇腹ホース２１に対してノズルヘッダ２２が長さＬ１だけ引き出されると、蛇腹ホース２１の先端に取り付けられたスライド部材２４がスライドストッパ２２Ｓに当接し、スライドが制限されるようになっている。
【００２６】
更に、蛇腹ホース２１を本体ケース１１から引き出すと、図１１（ｃ）に示すように、長さＬ２まで蛇腹ホース２１を伸長させることができる。ノズルヘッダ２２内に蛇腹ホース２１を収納し、伸縮量を稼ぐ構造になっている。これにより、玄関先で使用する場合等でも、十分な長さまで蛇腹ホース２１を伸長させることができる。しかも、蛇腹ホース２１は、曲げ形状を保持可能な可撓性のホースであるため、蛇腹ホース２１を自在に屈曲させ、所望の方向に向けて空気１００を吐き出すことが可能である。
【００２７】
図１４は、本実施の形態に係る靴乾燥装置１が備える固定手段３０の斜視図である。ここでは、一方の伸縮ノズル２０については蛇腹ホース２１と固定部材２３を取り外した状態を示している。突起部３４の形状、大きさ、個数等は限定されるものではないが、図１４に示すように、開口部３１近傍の３箇所に設けられた係止爪であってもよい。また、溝部３３の形状、大きさ、個数等も限定されるものではないが、図１４に示すように、延出部３２の先端の外周に設けられた一定深さの溝であってもよい。これにより、突起部３４と溝部３３とを厳密に位置合わせしなくても係合させることができるため、本体１０とノズルヘッダ２２とを容易に着脱することが可能である。
【００２８】
ここでは、本体１０に開口部３１を設け、ノズルヘッダ２２に延出部３２を設けることとしているが、ノズルヘッダ２２に開口部３１を設け、本体１０に延出部３２を設けてもよい。また、延出部３２に溝部３３を設け、開口部３１に突起部３４を設けることとしているが、開口部３１に溝部３３を設け、延出部３２に突起部３４を設けてもよい。すなわち、固定手段３０は、伸縮ノズル２０を本体１０に固定（保持）するための手段であればよく、種々の変形が可能である。
【００２９】
［ノズル先端形状］
図１５は、本実施の形態に係る靴乾燥装置１が備える伸縮ノズル２０の説明図であり、図１５（ａ）は上面図、図１５（ｂ）は正面図、図１５（ｃ）は右側面図である。この図に示すように、ノズルヘッダ２２の先端の略中央を横断する凹部２２Ｂが設けられ、凹部２２Ｂを挟む両側に凸部２２Ｃが設けられ、凹部２２Ｂと凸部２２Ｃのそれぞれに空気１００を吐き出す吐出口２２Ａが設けられている。このようなノズル先端形状によれば、片方のノズルヘッダ２２の凹部２２Ｂで左右一対の靴２を保持することができるため、２足同時に乾燥させることが可能である。また、３つの吐出口２２Ａから空気１００が吐き出されるため、１足乾燥でも２足同時乾燥でも、全ての吐出口２２Ａが塞がれることがない。すなわち、３つの吐出口２２Ａのうちのいずれかは開放状態になるため、乾燥効率を向上させることが可能であり、また、シロッコファン１４Ａ（図９参照）の負荷を軽減することが可能である。
【００３０】
ここで、図１５（ｂ）に示すように、凸部２２Ｃの上端をハの字状に外側に傾斜させているため、吐出口２２Ａから吐き出される空気１００を外側に拡げることができる。また、図１５（ｃ）に示すように、凸部２２Ｃの隅部２２ＤをＲ面取りすることで背面側に傾斜させているため、吐出口２２Ａから吐き出される空気１００を背面側に拡げることができる。このような空気１００の拡がり効果は、２足同時乾燥の場合に特に効果的である。
【００３１】
［排出孔］
図１６は、本実施の形態に係る靴乾燥装置１に濡れた靴２を引っ掛けて使用している様子を示す右側面図である。このような使用形態の場合、伸縮ノズル２０が上方に向く状態になるため、濡れた靴２から水などの液体Ｗ１，Ｗ２が伸縮ノズル２０を伝わって本体１０に進入する可能性がある。そこで、本体１０の背面に水抜きのための第１の排出孔５１と第２の排出孔５２を貫通形成し（図１７参照）、第１の排出孔５１，第２の排出孔５２から液体Ｗ１，Ｗ２を外部に排出する構造になっている。
【００３２】
図１８は、本実施の形態に係る靴乾燥装置１の内部構造を示す斜視図である。以下、図１８を用いて、第１の排出孔５１及び第２の排出孔５２を更に詳しく説明する。
【００３３】
まず、蛇腹ホース２１の内側を伝わって本体１０に進入した液体Ｗ１は、蛇腹ホース２１の下方に設けられたガイド板８０に伝わり、ガイド板８０の窪み部８１に溜まり、第１の排出孔５１から外部に排出される。第１の排出孔５１は、窪み部８１の高さ位置に合わせて背面側の本体ケース１１に設けられているため、スタンド４０を使用して本体１０がやや背面側に傾いた起立姿勢にすると、特に高い排出効果を得ることができる。更に、固定部材２３の内側を半月状の閉止部２３Ａで閉止し（図１０参照）、本体１０の内側に液体Ｗ１が伝わりにくい構造になっている。
【００３４】
一方、蛇腹ホース２１の外側を伝わって本体１０に進入した液体Ｗ２は、固定部材２３の周囲に設けられた仕切り部材９０に伝わり、第２の排出孔５２から外部に排出される。第２の排出孔５２は、仕切り部材９０の高さ位置に合わせて背面側の本体ケース１１に設けられているため、スタンド４０を使用して本体１０がやや背面側に傾いた起立姿勢にすると、特に高い排出効果を得ることができる。蛇腹ホース２１と仕切り部材９０との間は固定部材２３によりシールされているため（図２０参照）、仕切り部材９０よりも下方に液体Ｗ２が進入しない構造になっている。
【００３５】
［スタンド構造］
図１９は、本実施の形態に係る靴乾燥装置１の右側面図であり、図１９（ａ）は、スタンド４０を使用した場合を示し、図１９（ｂ）は、スタンド４０を使用しない場合を示している。この図に示すように、本体１０の背面に可倒式のスタンド４０を設け、本体１０を多方向に設置しても適正な温風吐き出し性能が得られるようになっている。
【００３６】
すなわち、図１９（ａ）に示すように、スタンド４０を開くと、スタンド４０の下端と本体ケース１１の背面側の下端とが床６１に接し、本体１０がやや背面側に傾いた起立状態になる。このような起立状態で靴２を引っ掛けて使用する場合は、伸縮ノズル２０が上方に向く状態になるため、靴２の中の全体に温風を行き渡らせることができる。
【００３７】
一方、図１９（ｂ）に示すように、スタンド４０を閉じると、スタンド４０の開口４１（図１７参照）に本体ケース１１の湾曲部１１Ｆが収まり、スタンド４０と本体ケース１１とが一体になる。このとき、スタンド４０に設けられたロック用凸部４２が本体ケース１１に設けられたロック用凹部４３に係合するようになっている。この状態で本体１０を寝かせると、スタンド４０の側面４０Ｓと本体ケース１１に設けられた脚部Ｆとが床６１に接し、本体１０を寝かせた状態を安定して保つことができる。このとき、伸縮ノズル２０がやや下方に向く状態になるため、玄関先などの段差のある場所で使用する場合、下方に置かれた靴２に向けて容易に温風を吹き付けることが可能である。
【００３８】
［温度検出３点セット］
図２０は、本実施の形態に係る靴乾燥装置１の内部構造を示す斜視図である。この図に示すように、温度制御用のサーミスタ７１と、過昇温防止用のバイメタル７２と、過昇温防止用の温度ヒューズ７３とを備えてもよい。サーミスタ７１は、ヒータケース１８から温風が流出する流出口付近に設けられているため、温風の温度を精度よく検出することができる。ヒータケース１８には、ヒータ１８Ａの電熱線と、バイメタル７２と、温度ヒューズ７３とが内蔵されている。バイメタル７２と温度ヒューズ７３は、螺旋状に配置された電熱線と直交する位置に配置されているため、過昇温を精度よく検出することができる。サーミスタ７１、バイメタル７２、温度ヒューズ７３は、図示しない接続コードにより制御基板１２等に接続されている。これにより、適正な温度制御と安全性の向上を図ることが可能である。
【００３９】
なお、図２０では、ヒータケース１８が仕切り板１８Ｂ，１８Ｃ，１８Ｄにより６部屋に仕切られているが、ヒータケース１８の部屋数は限定されるものではない。もちろん、サーミスタ７１、バイメタル７２、温度ヒューズ７３の配置は適宜変更することが可能である。
【００４０】
以上のように、本実施の形態に係る靴乾燥装置１は、本体１０と、本体１０に設けられた吸気口１１Ａと、吸気口１１Ａから吸気した空気１００を加熱するヒータ１８Ａと、本体１０に対して伸縮自在であり、ヒータ１８Ａにより加熱された空気１００を吐き出す複数の伸縮ノズル２０と、伸縮ノズル２０が縮んだ状態において伸縮ノズル２０を本体１０に固定する固定手段３０とを備える。これにより、伸縮ノズル２０が縮んだ状態では伸縮ノズル２０が本体１０に固定されるため、様々な形態で使用することができる使い勝手のよい靴乾燥装置１を提供することが可能となる。
【００４１】
また、伸縮ノズル２０は、本体１０に一端が連結された伸縮ダクトである蛇腹ホース２１と、蛇腹ホース２１の他端に取り付けられたノズルヘッダ２２とを備えてもよい。これにより、簡単な構成で伸縮性に優れた伸縮ノズル２０を提供することが可能となる。
【００４２】
また、蛇腹ホース２１の少なくとも一部がノズルヘッダ２２内に収納されてもよい。これにより、蛇腹ホース２１のうちノズルヘッダ２２内に収納されている部分もノズルヘッダ２２外に向けて伸長することができるため、ノズルヘッダ２２内に収納されている分だけ伸縮量を稼ぐことが可能となる。加えて、蛇腹ホース２１をノズルヘッダ２２で補強するという効果もある。
【００４３】
また、蛇腹ホース２１の他端に対してノズルヘッダ２２がスライド可能に取り付けられていてもよい。これにより、ノズルヘッダ２２がスライドする分だけ更に伸縮量を稼ぐことが可能となる。
【００４４】
また、固定手段３０は、ノズルヘッダ２２と本体１０のうちの一方に設けられた開口部３１と、ノズルヘッダ２２と本体１０のうちの他方に設けられ、開口部３１に嵌る延出部３２と、開口部３１と延出部３２のうちの一方に設けられた溝部３３と、開口部３１と延出部３２のうちの他方に設けられ、溝部３３に係合する突起部３４とを備えてもよい。これにより、簡単な構成でありながら、伸縮ノズル２０を縮めた状態で強固に本体１０に固定することが可能となる。
【００４５】
また、ノズルヘッダ２２は、その先端の略中央を横断する凹部２２Ｂが設けられ、凹部２２Ｂを挟む両側に凸部２２Ｃが設けられ、凹部２２Ｂと凸部２２Ｃのそれぞれに空気１００を吐き出す吐出口２２Ａが設けられていてもよい。これにより、送風効率を向上させることができるため、乾燥時間を短縮することが可能となる。
【００４６】
また、本体１０は、蛇腹ホース２１の内側を伝わって本体１０に進入した液体Ｗ１を排出するための第１の排出孔５１と、蛇腹ホース２１の外側を伝わって本体１０に進入した液体Ｗ２を排出するための第２の排出孔５２とを備えてもよい。これにより、伸縮ノズル２０を本体１０に固定し、伸縮ノズル２０が上方に向く状態で使用した場合でも、蛇腹ホース２１の内側と外側のいずれからも液体Ｗ１，Ｗ２が進入しないため、安全性を向上させることが可能となる。
【００４７】
また、伸縮ダクトとして可撓性の蛇腹ホース２１を用いているため、伸縮性に優れるだけでなく屈曲性にも優れた伸縮ダクトを提供することが可能となる。
【００４８】
なお、上記の説明では、ノズルヘッダ２２の先端面に吐出口２２Ａを設けた場合について説明したが、吐出口２２Ａを設ける箇所はこれに限定されるものではない。例えば、ノズルヘッダ２２の先端面だけでなく側面にも吐出口２２Ａを設けてもよい。これにより、ノズルヘッダ２２の先端だけでなく側面からも温風が吐き出されるため、広範囲のものを効率よく乾燥させることが可能となる。
【００４９】
また、上記の説明では、凹部２２Ｂを前後方向に延びる向きに設定していたが（図１５参照）、左右方向に延びる向きに設定してもよい。もちろん、このように左右方向に延びる向きに設定した場合も、凹部２２Ｂを挟む両側に凸部２２Ｃを設けてもよい。
【００５０】
また、上記の説明では、被乾燥物として靴２を例示したが、靴２には、スリッパ等の履き物全般が含まれることは言うまでもない。もちろん、被乾燥物は、履き物以外のものであってもよい。例えば、本靴乾燥装置１は、下駄箱内に向け送風させて乾燥や消臭に利用してもよい。更に、衣類や布団の乾燥や除菌を行うために利用することもできるし、室内の暖房や除菌に利用することもできる。
【００５１】
また、上記の説明では、伸縮ダクトとして蛇腹ホース２１を用いた場合を例示したが、これに限定されるものではない。すなわち、伸縮ダクトは、伸縮自在なダクトであればよく、蛇腹ホース２１以外の伸縮ダクトを用いることも可能である。
【００５２】
［その他の実施の形態］
上記のように、いくつかの実施の形態について記載したが、開示の一部をなす論述および図面は例示的なものであり、限定するものであると理解すべきではない。この開示から当業者には様々な代替実施の形態、実施例および運用技術が明らかとなろう。
【００５３】
このように、本実施の形態は、ここでは記載していない様々な実施の形態などを含む。
【００５４】
従来、本体の靴掛け部に靴を掛けることが前提となる構造では、靴を室内や廊下に持ち込むことになるため、靴に汚れが付着している状態で使用することに使用者が抵抗を覚えることがあった。そのため、玄関先に靴を置いた状態で使用することができるなど、様々な形態で使用することができる靴乾燥装置が求められている。
【００５５】
本実施の形態は、上述した従来の技術に鑑み、様々な形態で使用することができる使い勝手のよい靴乾燥装置を提供することを目的とする。
【００５６】
本実施の形態の一態様によれば、本体と、前記本体に設けられた吸気口と、前記吸気口から吸気した空気を加熱する加熱手段と、前記本体に対して伸縮自在であり、前記加熱手段により加熱された空気を吐き出す複数の伸縮ノズルと、前記伸縮ノズルが縮んだ状態において前記伸縮ノズルを前記本体に固定する固定手段とを備える靴乾燥装置が提供される。
【００５７】
本実施の形態によれば、様々な形態で使用することができる使い勝手のよい靴乾燥装置を提供することが可能である。
【符号の説明】
【００５８】
１…靴乾燥装置
１０…本体
１１Ａ…吸気口
１８Ａ…ヒータ（加熱手段）
２０…伸縮ノズル
２１…蛇腹ホース（伸縮ダクト）
２２…ノズルヘッダ
２２Ａ…吐出口
２２Ｂ…凹部
２２Ｃ…凸部
３０…固定手段
３１…開口部
３２…延出部
３３…溝部
３４…突起部
５１…第１の排出孔
５２…第２の排出孔
１００…空気
Ｗ１，Ｗ２…液体
【図１】
2020058910.tif 000003
【図２】
2020058910.tif 000004
【図３】
2020058910.tif 000005
【図４】
2020058910.tif 000006
【図５】
2020058910.tif 000007
【図６】
2020058910.tif 000008
【図７】
2020058910.tif 000009
【図８】
2020058910.tif 000010
【図９】
2020058910.tif 000011
【図１０】
2020058910.tif 000012
【図１１】
2020058910.tif 000013
【図１２】
2020058910.tif 000014
【図１３】
2020058910.tif 000015
【図１４】
2020058910.tif 000016
【図１５】
2020058910.tif 000017
【図１６】
2020058910.tif 000018
【図１７】
2020058910.tif 000019
【図１８】
2020058910.tif 000020
【図１９】
2020058910.tif 000021
【図２０】
2020058910.tif 000022